【手続補正書】
【提出日】平成21年8月6日(2009.8.6)
【手続補正１】
【補正対象書類名】特許請求の範囲
【補正対象項目名】請求項１
【補正方法】変更
【補正の内容】
【請求項１】
単一の流れ導管を備えているコリオリ流量計において、
前記単一の流れ導管は、
軸方向に整列している入口区画（３１２）及び出口区画（３１４）と、
前記入口区画（３１２）に取り付けられている第１曲げ区画（３１６）、及び前記出口区画（３１４）に取り付けられている第２曲げ区画（３１８）と、
前記第１曲げ区画（３１６）と前記第２曲げ区画（３１８）の間に伸張している接続区画（３２４）であって、前記接続（３１８）区画の中心は前記単一の流れ導管の対称軸を画定しており、前記単一の流れ導管は対称軸に関して対称であり、前記単一の流れ導管は基本的に１つの面内に形成されている、接続区画（３２４）と、
第１端部及び第２端部を有する捩り部材（４３０）であって、前記第１端部は、前記単一の流れ導管の前記接続区画（３２４）に前記第１曲げ区画（３１６）近くで取り付けられており、前記第２端部は、前記単一の流れ導管の前記接続区画（３２４）に前記第２曲げ区画（３１８）近くで取り付けられている、捩り部材と、
前記捩り部材（４３０）に取り付けられ、前記単一の流れ導管の前記接続区画の中心に向かって伸張しており、前記捩り部材（４３０）に概ね垂直である、平衡部材（４３２）と、
前記平衡部材（４３２）に取り付けられており、駆動装置を搭載するように構成されている少なくとも１つの駆動ブラケット（４３８）であって、前記駆動装置は、前記単一の流れ導管に対して力を加えるように構成されている、駆動ブラケットと、を備えており、
前記捩り部材（４３０）は、中央区画を有しており、前記捩り部材（４３０）の前記第１端部と前記第２端部は、前記単一の流れ導管と同相で振動するように構成され、前記中央区画は、前記単一の流れ導管と逆位相で振動するように構成されており、これにより、前記捩り部材を、捩り振動軸に沿って捩り方向に変形させる、コリオリ流量計。
を更に含んでいる、請求項１９に記載のコリオリ流量計を製造する方法。
【手続補正２】
【補正対象書類名】特許請求の範囲
【補正対象項目名】請求項２６
【補正方法】変更
【補正の内容】
【請求項２６】
前記ドングル（５４０）は、略長方形の平坦なプレートであり、前記長方形の長軸は前
記捩り部材に垂直である、請求項２５に記載のコリオリ流量計を製造する方法。
【手続補正３】
【補正対象書類名】特許請求の範囲
【補正対象項目名】請求項３０
【補正方法】変更
【補正の内容】
【請求項３０】
前記平衡部材（４３２）は、前記単一の流れ導管の対称軸に沿って高い曲げ剛性を有するように構成されている、請求項１９に記載のコリオリ流量計を製造する方法。
【手続補正４】
【補正対象書類名】明細書
【補正対象項目名】００３８
【補正方法】変更
【補正の内容】
【００３８】
図１は、本発明の例示的な実施形態のコリオリ流量計１００の等角図である。コリオリ流量計１００は、入口フランジ１０２、出口フランジ１０４、入口マニホルド１５４、出口マニホルド１５２、マニホルドスペーサー１０６、単一の湾曲流れ導管１０８、及び平衡構造１１０を備えている。入口及び出口フランジ（１０２と１０４）は、コリオリ流量計１００を配管系（図示せず）に連結するのに用いられる。入口及び出口フランジ（１０２と１０４）は、通常、ボルト穴を有しているが、簡潔にするためボルト穴を図示していない。入口及び出口マニホルド（１５２と１５４）は、マニホルドスペーサー１０４の何れかの端部に固定されている。マニホルドスペーサー１０６は、通常、円筒形であるが、他の断面、例えば長方形断面に形成してもよい。単一の流れ導管１０８の各端部は、入口及び出口マニホルド（１５２と１５４）の開口部に嵌め込まれている。単一の湾曲流れ導管１０８の両端を２つのマニホルド（１５２と１５４）に接合するのに、軟接続（図示せず）を使用してもよい。単一の流れ導管１０８の湾曲区画は、マニホルドスペーサー１０６の各端部の開口部を通って、マニホルドスペーサー１０６の外側表面より上方に伸張している。平衡構造１１０は、２つの接続点で、単一の流れ導管１０８に取り付けられている。２つの接続点は、単一の流れ導管１０８がマニホルドスペーサー１０６の外側に伸張している場所に近い、単一の流れ導管１０８の何れかの端部近くに配置されている。平衡構造１１０は、単一の流れ導管１０８上の２つの接続点の間に懸垂されており、単一の流れ導管１０８とマニホルドスペーサー１０６の間に配置されている。作動時には、保護カバーをマニホルドスペーサーに取り付け、単一の湾曲流れ導管と平衡構造を損傷から防護する。図２は、本発明の例示的な実施形態によるコリオリ流量計２００の等角図である。コリオリ流量計２００は、入口フランジ２０２、出口フランジ２０４、入口マニホルド２５４、出口マニホルド２５２、マニホルドスペーサー２０６、及びケース２１２を備えている。
【手続補正５】
【補正対象書類名】明細書
【補正対象項目名】００４３
【補正方法】変更
【補正の内容】
【００４３】
本発明の１つの例示的な実施形態では、ピックオフ支持部材４３４は、平衡部材４３２の頂部に取り付けられている。ピックオフ支持部材は、概略、１つの面内に形成されている平坦なプレートであり、各端部にはピックオフブラケット４３６が設けられている。ピックオフ支持部材４３４は、平衡部材４３２に垂直である。ピックオフ支持部材は、平衡部材４３２の左右及び前後方向の中央に配置されている。ピックオフ支持部材４３４の各端部のピックオフブラケット４３６は、ピックオフブラケットと流れ導管の間の相対的な位置又は速度を測定するセンサー（図示せず）を搭載するように作られている。磁石とコイルの対、光学センサーなどのどの様な型式のセンサーを使用してもよい。本発明の１つの例示的な実施形態では、磁石が流れ導管に取り付けられており、コイルがピックオフブラケットに取り付けられている。ピックオフ支持部材４３４は、低質量高剛性の構造として構成されており、ピックオフ支持部材の何れの振動モードの固有周波数も、管／平衡構造の駆動周波数とは遙かに離れている。固有周波数がこの様に離れているので、駆動周波数と他の振動モードの間の連成は最小になる。本発明の別の実施形態（図示せず）では、ピックオフセンサーは、平衡構造に搭載されていない。ピックオフセンサーは、コリオリ流量計の他の部分、例えばマニホルドスペーサーに搭載してもよい。
【手続補正６】
【補正対象書類名】明細書
【補正対象項目名】００４５
【補正方法】変更
【補正の内容】
【００４５】
図５は、本発明の例示的な実施形態によるコリオリ流量計５００の部分等角断面図である。コリオリ流量計５００は、マニホルドスペーサー５０６、流れ導管５０８、及び平衡構造５１０を備えている。マニホルドスペーサー５０６の断面図は、ドングル５４０とヒンジ５４２を露出させるために示されている。図４で説明した様に、捩り部材５３０は、流れ導管５０８に取り付けられている。ドングル５４０は、捩り部材５３０の下面に取り付けられており、マニホルドスペーサー５０６の開口部を通してマニホルドスペーサー５０６の内部へと伸張している。本発明の１つの例示的な実施形態では、ドングルは、略長方形の平坦なプレートであり、長軸は、捩り部材５３０の下面に垂直である。ドングル５４０は、他の形状、例えばドングルの先端に質量を取り付けて長さを短くしたものでもよい。ドングル５４０は、流れ導管５０８の湾曲頂上区画の中央と交差する流れ導管５０８の対称軸を中心にして、その周りに対称に配置されている。ヒンジ５４２は、捩り部材５３０の下面をマニホルドスペーサー５０６の上面に連結する薄い部材である。ヒンジは、通常、２つの部品で形成されており、マニホルドスペーサー５０６のドングル開口部の各側に１つずつ配置されている。ヒンジ５４２は、捩り部材５３０の第１又は捩り振動ノードと整列する面を形成している。ヒンジ５４２は、捩り振動ノードと整列しているので、ヒンジは、流れ導管及び平衡構造の周波数を上げる効果は殆ど又は全く無い。ヒンジ５４２は、可撓性部材とも呼ばれる。